(57)【要約】      （修正有）【課題】自動的・効率的・計画的・体系的に惑星・衛星の環境の開発を図る装置と使用方法を提供する。【解決手段】近未来以降の解決の一手段として開発された防護装置（特許第２９０６１６５号）の主要構成である基地系集団、反射基地系集団や、その製造装置等が、他の惑星や衛星の開発と相互に活用されうることが可能になった時点で地球管制体の大型電子計算機と、基地ネットワークと、反射基地ネットワークと、製作系ネットワークと、をネットワークで構成する。地球環境の保護と他の惑星の開発とが自動的・効率的・計画的・体系的に可能になる基盤を開発し、近未来以後の技術熟成への一手段とする。【選択図】    図３
2006160235.tif 000002
【特許請求の範囲】
【請求項１】
惑星に付髄して運行する反射基地系を多数個広大な平面状に配列し、惑星に太陽光反射部を照射する反射基地系集団を有する反射装置と、
該太陽光反射部の照射による温度上昇がもたらす惑星の気象の変化や事象の変化を観測する観測装置と、
該観測装置からの観測のデータ・情報を入力し処理し制御指令を出力する電子計算機群によって惑星ネットワークを構成し、該惑星ネットワークからの制御指令を受信し該反射基地系（ブロック）やその構成要素である各々の体を制御する電子計算機群によって反射基地ネットワークを構成し、地球の大型電子計算機との連携によって該反射基地系集団の全体を制御する制御装置と、
を具備した開発装置。
【請求項２】
惑星と太陽とその他の天体の引力等の力が略均衡する太陽側の均衡公転軌道を、惑星に略対向し惑星の昼間の特定地域に太陽光照射部の照射を惑星の昼間のみ継続しうるよう照射角度を調節する角度調節機を搭載した昼間反射基地系集団と、
惑星の特定地域の夕方・夜間・朝の各側の宇宙空間に於て推進体や補助推進体の噴射で諸種の天体の引力と略均衡しながらその運行位置を調節維持し、惑星の夕方・夜間・朝の各時間の特定地域に太陽光照射部の照射を惑星の夜間のみ継続しうるよう照射角度を調節する角度調節機を搭載した夕方反射基地系集団・夜間反射基地系集団・朝反射基地系集団と、
を具備した請求項１に記記載の開発装置。
【請求項３】
前記観測装置は、惑星の地表や地下に存在する氷の融解の程度を観測する融解観測機と、該氷の融解による水の程度を観測する融水観測機と、該融水への太陽光反射部の照射による蒸発の程度を観測する水蒸気観測機と、該蒸発や太陽の反射光の照射による気象の変化の程度を観測する気象観測機と、
を具備した請求項１に記載の開発装置。
【請求項４】
地球の近傍の無重力宇宙空間に配備された製作系集団で製作された多数個の基地系の集りである基地系ブロック・基地系集団に於て、該基地系の製作後に太陽側の遮光板に装備され、太陽光発電板を有するバフ研摩機によって地球に太陽光陰影部を投影する投影期間中、あるいは地球近傍から惑星に運搬される運搬期間中、計画的に太陽光発電でバフ研摩を長時間継続した結果として製作される反射基地系・反射基地系ブロック・反射基地系集団と、
それらが地球の冬期の寒冷地、地球の緯度の高い寒冷地、地球の氷期の寒冷地への太陽光照射部の照射用として適用されうるように計画・製作指令・運営指令が出力され、地球管制体とネットワークが構成された反射地球適用製御装置と、
それらが惑星の地表や地下に存在する氷（凍土）の融解・融水の作製・水蒸気の蒸発・惑星の気象調整用として適用されるよう計画・製作指令・運営指令が出力され、地球管制体とネットワークが構成された反射火星適用制御装置と、
を具備した開発装置。
【請求項５】
前記反射基地系、反射基地系ブロック等の運行を制御する推新体・補助推進体（例えば核融合ロケットの応用型）へその運行で消費した燃料の補充用に運搬する燃料運搬装置と、
各推進体・補助推進体に燃料を自動配備・交換する燃料配備装置と、
該燃料を指令を受けて自動生産する燃料生産装置と、
該燃料の消費を計測・計算で集計し、生産・運搬・配備・交換を制御するよう地球管制体の大型電子計算機とネットワークが構成された燃料制御装置と、
を具備した開発装置。
【請求項６】
惑星・衛星に付髄して運行する基地系・反射基地系を多数個広大な平面状に配列し、惑星・衛星に太陽光陰影部・太陽光反射部を投影・照射する基地系集団・反射基地系集団を有する遮光装置・反射装置と、
該太陽光陰影部・太陽光反射部の投影・照射による温度降下・温度上昇がもたらす惑星・衛星の気象の変化や事象の変化を観測する観測装置と、
該観測装置からの観測のデータ・情報を入力し処理し制御指令を出力する電子計算機群によって惑星・衛星各ネットワークを構成し、該惑星・衛星各ネットワークからの制御指令を受信し該基地系（ブロック）・反射基地系ブロックやその構成要素である各々の体を制御する電子計算機群によって基地ネットワーク・反射基地ネットワークを構成し、地球管制体の大型電子計算機との連携によって防護装置（特許第２９０６１６５号）で示される地球環境の防護と連携して、惑星・衛星の開発の制御等全体系の効率的・計画的・体系的な諸開発の制御・連携を図る制御装置と、
を具備した開発装置。
【請求項７】
惑星の種類によっては、前記太陽光陰影部と前記太陽光反射部はほぼ隣接して配備されるよう構成された遮光装置・反射装置
を具備した請求項  に記載の開発装置。
【請求項８】
基地系に配設された一定間隔の一対の抜止片を備えた補強枠に係合して回転するローラを備えた係合具・移動具と、
該係合具を装備した枠体に複数個、研摩隙間のないように配備されバフ研摩部を回動するよう装備された電気モータ及び小速度で移動するための移動具の電気モータと、
該電気モータを回動する蓄電池・太陽光発電板（または核融合発電機）と、
を具備した研摩機を有する請求項６に記載の開発装置。
【請求項９】
基地系の遮光板に固設された一定間隔の多数本の補強枠に装備されたバフ研摩機によって該遮光板の片面がバフ研摩され鏡面仕上されて反射基地系が太陽光陰影部としての任務を果すよう運行する期間中、または他の惑星へ運搬中に、反射基地系が製作される反射製作段階と、
該反射基地系の集りである反射基地系ブロックや反射基地系集団が地球、または他の惑星・衛星の近傍に配備され太陽光反射部を照射する反射運営段階と、
前記基地系の集りである基地系ブロックや基地系集団が必要により地球、または他の惑星・衛星の近傍に配備され太陽光陰影部を照射する陰影運営段階と、
それらが全て地球管制体の大型電子計算機を含むネットワークで制御される制御段階と、
を具備した開発装置の使用方法。
【発明の詳細な説明】
【技術分野】  本発明は、開発装置とその使用方法に関し、より詳しくは開発装置の主要構成である基地系集団・反射基地系集団を惑星・衛星の近傍の宇宙空間に配備して、自動的・効率的・計画的・体系的に惑星・衛星の環境の開発を図る装置と使用方法を提供し、そのために該基地系集団・該反射基地系集団の運用を円滑にして地球環境の防護装置と製造装置との密接な連携を図るものである。
［背景技術］
２０世紀は去り、私達は２１世紀という新らしい世紀を迎えた。ここで２１世紀という時代を人類の歴史や地球の歴史上より顧みることは、単に１つの世紀の区切りの時代ということのみに止まらず極めて重要な意義を有することになった。恐らくこの数１０年の世界の対応如何が、未来に向けて末永く生存するべき人類の運命を左右しかねない程、重要な意義を持つと予測される事態に至ってきた。
まず、２０世紀の前・後１世紀の変化の実態と予測とを客観的に把握しておく必要がある。図１は１９・２０世紀における主な変化の実態と、２１世紀に於いてこの傾向が続く場合の予測と、を示す。図１の図（ａ）・図（ｂ）を参考にして２０世紀の初めと終りとを比較すると、世界人口は約３倍、国民総生産は約２１倍、エネルギー消費量は約６０倍に激増した。さらに、１９世紀中頃と２０世紀の終りとを比較すると、世界人口は約８倍、国民総生産は約５０倍、エネルギー消費量は約８０倍に、各々爆発的に激増した。特に、世界の工業生産は２０世紀に１００倍以上増加した。革命的なまでに産業は発達し、人間の生活様式は大きく変化し、人間の活動力は大きく伸びた。このような著るしい伸びは、私達の人間社会を物質的に豊かにした。人間の行動範囲は飛躍的に広がり、活動能力は伸長し、文明は高度に発達した。現在の文明は便利さと、快適さと、豊かな社会と、を求めて成長と開発に努めてきた私達人類の汗の結晶であり、活動の軌跡である。確かに私達は１９世紀までよりはるかに発達した高度の文明を持ち、遺産として残すことができる。しかし、それら著るしい活動の副産物として、地球環境の深刻化という大きく、かつ深刻な試練を受けることになっている。副産物の中には人間の居住パターンを変える程の大きな影響を及ぼすと予測されているものもある。その具体的な１例を図１を参考にして大略説明する。前記した図１の図（ａ）・図（ｂ）に示すように、２０世紀における世界人口・国民総生産・エネルギー消費量の爆発的な増大に伴って、図（ｃ）に示すように石油消費量は年間１０億トンを越すようになり、この傾向が続くと石油資源はあと４０数年の中に枯渇すると予測されている。そして、木材需要・農耕地需要、により熱帯雨林が年間１１３０万ｈａ破壊されている。森林、特に熱帯雨林は地球の肺に相当する程、大気中の二酸化炭素を吸収し酸素を供給する。このような森林・熱帯雨林の破壊と併せて、石油等の化石燃料は燃焼時に大量の二酸化炭素を排出する。この結果、図（ｄ）に示すように、大気中の二酸化炭素の濃度は年々増大する傾向を示すに至った。そして、図（ｅ）に示すように地球温暖化の傾向が強まりつつある。この傾向が続くと、図（ｆ）に示すように、海水位が年々高くなり、近未来は臨海都市・地域は水没化する危険性がある。
生命にとって絶好の生存環境条件を備えた現在の地球は、太陽からの公転距離、従って太陽から受ける太陽光の照射エネルギーの量、地球の大きさ、地球の自転速度、地球の地軸の傾斜、地球の磁力やバリヤ層による宇宙線や紫外線の照射量の調整、大陸や海の大きさ、大気・水・海水、等で構成され、数億年の植物等の活動による酸素の生成、等々によって奇跡的に生み出された。現在の地球環境は上記のような諸要件の微妙なバランスと超長年月をかけた熟成の末に造り出されたものである。しかし、地球環境はバランスが崩れ始めると壊れ易い有限の球体でもある。有限であるから資源と環境とが限られた超巨大な宇宙船にも例えられる。地球環境は過度な自然破壊さえ無ければ、忍耐強く、少々の打撃にも耐えられる寡黙な包容力のある、ねばり強い一面を備えた存在でもありうる。
地球は人間の個々の存在から視れば、圧倒的な巨大さと、うねりと、超長年月をかけた活動とをもつ大自然の１つである。大自然には緩衝能力があり長期にわたって被害を表面に出さない。しかし、ある限界を越えると急に状況が悪化するものがある。それが明らかになった時はすでに手遅れだという傾向が強い。地球環境はある方向へ傾斜し始めたら回復困難な非可逆的な性質をもっている。地球環境の緒問題は今ならまだどうにか取組みが間に合うかもしれないが、時期を失せぬ中に早急かつ慎重な応急的対策をとらなければ難しくなるものが多い。地球環境は全く奇跡的な比類のない創生であるから、当然のことであるが、これは現在の人類のためだけのものではない。未来に向けて末永く生存するべき膨大な未来の人類と、多くの種類の未来の膨大な生物とが共有すべき唯一の住家であり生命の源泉である。ところが実際には、地球環境がわずか約１世紀の人類の活動が原因して破壊されかけようとしている。この危険な傾向は現在の人類の責任において修正・転換され地球環境は防護され尽されねばならない。そのためには、環境破壊の原因の排出を繰返してきた２０世紀の人類の活動の全てが個々の立場に於て検証され、最善の対策が図られるべき必要に迫られてきた。
世界の人口が１０億に達したのは１８００年頃で、人類が誕生して以来非常に長い歴史が必要であった。しかし、２０億になるには約１３０年、３０億になるには３０年、４０億になるには１５年しかかっていない。特に、第２次世界大戦後における幾何級数的な世界人口の増加は、人口爆発と呼ばれるにふさわしいものであった。この増加傾向は多少変化があるとしても、前記のように世界人口は２０５０年には１００億に達するとみられている。従って、地球は半世紀の間に食糧、水、資源、居住環境等人類生存の必須条件の全ての面において、現在の約２倍の人口を維持しうるだけの扶養能力を備えていなければならない。
これらの必須条件が世界人口の生存上充分に余裕のあるうちは、人口増加は人類の繁栄を示すもので結構なことである。現に、数十年前まではそうであった。しかし、第２図に示すように現在実際に直面しまた予測されている危機的課題はいずれも地球規模のものであり、将来益々激しさを増すもので非可逆的性格が強い。その主な原因は世界人口の激増が引き金になっていることが判っている。エネルギーを初め多くの資源の需要は等比級数的に伸びるのに対して、資源の量には絶対的限界がある。幾世紀、幾億年かけて生成された森林や土壌や地球独得の資源等が今や人間一生程の短い期間に消費されている。また、これらのこことが将来、政治的・社会的安定を脅かす原因となってくる可能性が大きい。
２０世紀の人類はその活動の産物として数々の地球環境問題で大きなツケを２１世紀以降の後世に残すことになった。後世の人々は数々の大問題の解決に県命にならねばならぬ時が来る。県命になって解決されればそれで良い。なおかつどうすることもできず解決できぬ時にどうするか。２０世紀はこのことに対して痛切に心が痛まざるを得ないのが本当だ。人類は有史以前の大昔の出来事や、数万年・数億年後の未来の事や、宇宙の果てまで研究し次々と明らかにしてゆくことができる唯一の生物だ。地球や人類の未来の課題はこうなるに違いない、と理論的に判っているのであれば、これをできる範囲・程度まで解決しておこうとする努力は放置されるべきでないだろう。技術の未成熟なために現時点では推定に止ることが多い、でも仕方がない。方向性や必要性の明確になった技術開発は年月がかかれば何とか妥当な答えがでるものが多い。やがて世の中の技術のレベルが向上し発展すれば難問が解決される日も来るであろう。現代の地球環境問題にも未来の地球・人類には天体上の緒理由によって起る危機、正に大危機と呼ばれる試練が待ち受けている。過去複数回到来したものは未来も複数回到来するであろう。後記の氷期の到来の課題然り、小惑星の地球衝突の課題然りである。それらは枠外れの厳冬や大地震よりさらにレベルが異る大危機である。以上は相当現代に近い近未来〜中未来の切実で大きな課題である。相当先々の中未来〜遠未来のことになるが太陽光度の漸次増強による地球高温化、地球の第２金星化の課題は放置すれば生物や人類の世紀末とも言うべき、全運命を左右する大危機である。
本発明の第１の目的は、防護装置（特許第２９０６１６５号）の主要構成である反射基地系集団を火星の近傍の宇宙空間に配備して、自動的・効率的・計画的・体系的に地球環境の防護を図りつつ連携して火星の環境の開発を図るものである。
［発明を実施するための最良の形態］
以下、本発明を実施するための最良の形態を実施例・図面を参考にして説明する。
（１〜３）開発装置は、反射装置と、観測装置と、制御装置と、を備えている。、惑星（例えば火星）は地表や地下の凍結している氷が融解され、水となり、蒸発して水蒸気となり、火星の周辺の宇宙空間に貯る。反射装置は１日中照射されるよう図４の（ａ）のように配備されれば氷→水→水蒸気となる効率が速いと推定される。水蒸気が惑星の周辺に貯留されれば、惑星の環境が改善されうると推定される。上記の開発は地球管制体の大型電子計算機とネットワークによって自動的・効率的・計画的・体系的に成されると推定される。（図３、図４参照）
（４）  開発装置は、太陽光発電板または核融合発電機で発電される電力によってバフ研摩機が回動して、運搬中や、太陽光陰影部の投影の任務中に長時かけて鏡面仕上されるので効率的であり、これらが全て地球管制体とネットワークされ、製作指令・運営指令によって計画的・体系的に成されると推定される。（図５の（ａ）（ｂ）参照）
（５）  開発装置は、推新体・補助推進体（例えば核融合ロケットの応用型に燃料が自動運搬され、自動改備され、交換されるので、小量で高出力を長時間維持することと併せて、他の惑星や衛星の開発も継続的に効率よく実行される。
（６・７）開発装置は、反射装置と必要により遮光装置が配備されるので惑星によっては太陽光の反射・遮光によって各々の効果が発輝される。遮光装置による効果は防護装置（特許第２９０６１６５号）に詳記したので、重復説明はさける。
なお、太陽光陰影部と太陽光反射部を隣接して構成すれば、特に気象の調整を効率的に行うための降雨の促進が惑星によっては可能となる。
（８）  バフ研摩機は、一定間隔で固設された補強枠に係合しつつ小速度で移動すれば鏡面仕上が効率的に成される。太陽光の照射も強烈であるがバフ研摩は相当の電力を必要とするので、核融合発電機等から供給されてもよい。（図５参照）
（９）  開発装置は、請求項９の各段階を備えているので、惑星や衛星の開発を自動的・効率的・計画的・体系的に成されると推定される。
なお、特許請求の範囲の各請求項にも発明を実施するための形態が記載されている。
［発明の効果］
本発明は上記したように構成されているので下記の効果を奏すると推定される。
（１〜３）開発装置は、反射装置と、観測装置と、制御装置と、を備えているので、惑星（例えば火星）は地表や地下に凍結している氷が融解され、水となり、蒸発して水蒸気となり、火星の周辺の宇宙空間に貯る。反射装置は１日中照射されるよう図４の（ａ）のように配備されれば氷→水→水蒸気となる効率が速いと推定される。水蒸気が惑星の周辺に貯留されれば、惑星の環境が改善されうると推定される。上記の開発は地球管制体の大型電子計算機とネットワークによって自動的・効率的・計画的・体系的に成されると推定される。
（４）  開発装置は、太陽光発電板または核融合発電機で発電される電力によってバフ研摩機が回動して、運搬中や、太陽光陰影部の投影の任務中に長時かけて鏡面仕上されるので効率的であり、これらが全て地球管制体とネットワークされ、製作指令・運営指令によって計画的・体系的に成されると推定される。
（５）  開発装置は、推新体・補助推進体（例えば核融合ロケットの応用型に燃料が自動運搬され、自動改備され、交換されるので、小量で高出力を長時間維持することと併せて、他の惑星や衛星の開発も継続的に効率よく実行される。
（６・７）開発装置は、反射装置と必要により遮光装置が配備されるので惑星によっては太陽光の反射・遮光によって各々の効果が発輝される。遮光装置による効果は防護装置（特許第２９０６１６５号）に詳記したので、重復説明はさける。
なお、太陽光陰影部と太陽光反射部を隣接して構成すれば、特に気象の調整を効率的に行うための降雨の促進が惑星によっては可能になる。
（８）  バフ研摩機は、一定間隔で固設された補強枠に係合しつつ小速度で移動すれば鏡面仕上が効率的に成される。太陽光の照射も強烈であるがバフ研摩は相当の電力を必要とするので、核融合発電機等から供給されてもよい。
（９）  開発装置は、請求項９の各段階を備えているので、惑星や衛星の開発を自動的・効率的・計画的・体系的に成されると推定される。
なお、将来仮に実用化されるとすれば充分に技術が熟成されたうえで成されるべきである。
【図面の簡単な説明】［図１］
１９・２０世紀の環境・資源等の深刻な課題と２１世紀の予測を示す図、
［図２］
代表的な地球規模の課題とその原因と結果の因果関係を概略的に示す図、
［図３］
本発明の開発装置の電子計算機（制御装置）のネットワークを示す図、
［図４］
本発明の開発装置の基地系集団・反射基地系集団の配備の１実施例を示す図、
［図５］
本発明の開発装置の反射基地系を製作する研摩機の１実施例を示す図、
［図６］
本発明の開発装置の基地系集団による惑星の温度降下の一実施例を示す図である。
【符号の説明】
【図１】
2006160235.tif 000003
【図２】
2006160235.tif 000004
【図３】
2006160235.tif 000005
【図４】
2006160235.tif 000006
【図５】
2006160235.tif 000007
【図６】
2006160235.tif 000008